(57)【要約】【課題】電源を必要とせず、半永久的に発光させることができ、しかも構造がシンプルなメガホンを提供する。【解決手段】メガホン１０は、一端が口当て部１３とされ、他端に向けて徐々に拡径するラッパ状の筒体１１であって、塩化ビニール樹脂などの合成樹脂から形成されている。筒体１１の外面部１１ａおよび／または内面部１１ｂには、蓄光材が塗布されており、筒体１１の外面部１１ａと内面部１１ｂで発光色の異なる蓄光材を用いてもよい。また、筒体１１の外面部１１ａおよび／または内面部１１ｂに蓄光材を塗布せず、筒体１１を形成する合成樹脂に蓄光材を混入してもよい。【選択図】図１
0003134347.tif 000002
【実用新案登録請求の範囲】
【請求項１】
筒体表面に蓄光材が塗布されていることを特徴とするメガホン。
【請求項２】
筒体が蓄光材を含有する合成樹脂からなることを特徴とするメガホン。
【請求項３】
蓄光材を用いたステッカーが筒体表面に貼付されていることを特徴とするメガホン。
【考案の詳細な説明】
【技術分野】
【０００１】
本考案は、野球やサッカーなどの各種スポーツ観戦において使用されるメガホンに関する。
【背景技術】
【０００２】
野球やサッカーなどの各種スポーツ観戦において使用されるメガホンは、拡声器あるいは拍子木として使用され、聴覚のみに訴えるものであるが、聴覚と視覚に訴えて応援することができるメガホンが考案されている。近年、プロ野球等において、試合終了後にカクテルライトを消して夜空に花火を打ち上げる球場もあり、発光するメガホンによって球場全体が光り出される効果は大きい。
【０００３】
例えば、特許文献１では、メガホン筒体に、外部からの振動を感知し出力するセンサ部と、当該センサ部からの出力の変化に応じて発光する電球とを設け、声援に合わせて電球が点灯するメガホンの考案が開示されている。
また、特許文献２では、エレクトロルミネッセンスの板状体を帯状に貼付し、スイッチにてエレクトロルミネッセンスを自由に点滅させるようにしたスポーツ応援用具の考案が開示されている。
さらにまた、特許文献３では、メガホン本体の開口部内側に配した並列接続の２〜５個の発光ダイオードと、衝撃センサースイッチとを備え、任意にスイッチを押すか、衝撃を与えると、発光ダイオードが発光する発光メガホンの考案が開示されている。
【特許文献１】実開平６−５５１９８号公報
【特許文献２】登録実用新案第３００７７７０号公報
【特許文献３】実用新案登録第３０６５１４８号公報
【考案の開示】
【考案が解決しようとする課題】
【０００４】
しかしながら、上記各発光メガホンは、発光体として電球やエレクトロルミネッセンス、発光ダイオードなどを使用しているため、電池などの電源を必要とし、電池が切れると使用することができないという問題がある。また、雨天時にも使用できるようにするためには、配線部分などの水密処理が必要となる。
【０００５】
本考案は、上述する問題点に鑑みてなされたもので、電源を必要とせず、半永久的に発光させることができ、しかも配線等が不要となりシンプルな構造のメガホンを提供することを目的とする。
【課題を解決するための手段】
【０００６】
上記目的を達成するため、本考案に係るメガホンは、筒体表面に蓄光材が塗布されていることを特徴としている。
ここで、蓄光材とは、自然光や人工の光などから光エネルギーを吸収して、暗闇において光を放出する特性をもつ材料のことである。
本考案では、筒体表面に蓄光材が塗布されているので、電源を必要とせず、半永久的に発光させることができ、しかも構造がシンプルなメガホンを実現することができる。
【０００７】
また、本考案では、筒体が蓄光材を含有する合成樹脂から形成されていてもよい。
本考案では、筒体を形成する合成樹脂に蓄光材が含まれているので、筒体表面に蓄光材を塗布しなくてもよいという利点がある。
【０００８】
また、本考案では、蓄光材を用いたステッカーを筒体表面に貼付されていてもよい。
本考案では、蓄光材を用いたステッカーが筒体表面に貼付することにより、発光するメガホンを容易に実現することができる。
【考案の効果】
【０００９】
本考案では、発光体として蓄光材を使用しているので、電源を必要とせず、半永久的に発光させることができ、しかも構造がシンプルなメガホンを実現することができる。
【考案を実施するための最良の形態】
【００１０】
以下、本考案に係るメガホンの実施形態について図面に基づいて説明する。
［第一の実施形態］
図１に、本考案に係るメガホンの第一の実施形態を説明するための斜視図を示す。
本実施形態によるメガホン１０は、一端が口当て部１３とされ、他端に向けて徐々に拡径するラッパ状の筒体１１であって、塩化ビニール樹脂などの合成樹脂から形成されている。
【００１１】
筒体１１の外面部１１ａおよび／または内面部１１ｂには、蓄光材が塗布されており、筒体１１の外面部１１ａと内面部１１ｂで発光色の異なる蓄光材を用いてもよい。
蓄光材料としては、例えば、亜鉛、カルシウム、ストロンチウム、バリウム等のアルカリ土類の硫化物やアルミン酸ストロンチウム等の蓄光材、あるいは硫化亜鉛などに例示される各種の硫化物や酸化物等の無機蛍光材を使用することができる。
【００１２】
蓄光材の塗布に際しては、刷毛塗りやディッピングあるいはスプレー等を含む周知の塗装法で実施すればよいが、一度に厚塗りせず、溶剤の乾燥を待って重ね塗りするほうがよい。
【００１３】
なお、筒体１１の外面部１１ａおよび／または内面部１１ｂに蓄光材を塗布せず、筒体１１を形成する合成樹脂に蓄光材を混入してもよい。
【００１４】
本実施形態によるメガホンでは、発光体として蓄光材を使用しているので、電源を必要とせず、半永久的に発光させることができ、しかも配線等が不要となりシンプルな構造のメガホンを実現することができる。
【００１５】
［第二の実施形態］
図２に、本考案に係るメガホンの第二の実施形態を説明するための斜視図を示す。
本実施形態によるメガホン２０では、筒体２１が発光するのではなく、蓄光材を用いたステッカー２４を筒体２１の表面に貼付するものであり、これにより、発光するメガホンを容易に実現することができる。
【００１６】
［第三の実施形態］
図３に、本考案に係るメガホンの第三の実施形態を説明するための斜視図を示す。
本実施形態によるメガホン３０は、半円錐状に形成した一対の筒体３１，３２の縮径部を連結具３５で開閉自在に連結した、いわゆるＶ型メガホンと呼ばれるものである。
本実施形態によるメガホン３０では、一対の筒体３１，３２に、発光色の異なる蓄光材がそれぞれ塗布されている。
【００１７】
以上、本考案に係るメガホンの実施形態について説明したが、本考案は上記の実施形態に限定されるものではなく、その趣旨を逸脱しない範囲で適宜変更可能である。例えば、上記の実施形態では、ラッパ状のメガホンやＶ型メガホンについて例示したが、他の形状のメガホンでもよいことは言うまでもない。要は、本考案において所期の機能が得られればよいのである。
【図面の簡単な説明】
【００１８】
【図１】本考案に係るメガホンの第一の実施形態を説明するための斜視図である。
【図２】本考案に係るメガホンの第二の実施形態を説明するための斜視図である。
【図３】本考案に係るメガホンの第三の実施形態を説明するための斜視図である。
【符号の説明】
【００１９】
１０，２０，３０  メガホン
１１，２１，３１，３２  筒体
１１ａ  外面部
１１ｂ  内面部
１３  口当て部
２４  ステッカー
３５  連結具
【図１】
0003134347.tif 000003
【図２】
0003134347.tif 000004
【図３】
0003134347.tif 000005